(57)【要約】【課題】稼働装置が有効に動作しているときでも、その稼働装置の動作状況を詳細に判断して、必要最小限のスペクトラム拡散を実行することで、電波妨害雑音の抑制と画質維持を両立する。【解決手段】画像読取装置４及び画像形成装置１０６の稼働状態によって、電波妨害雑音の要因となる制御クロック信号を対象として実行するスペクトル拡散の実行・非実行を切り替えるようにした。すなわち、電波妨害雑音において許容できるボーダーラインに着目し、デジタルカラー複合機１０４の全体としての電波妨害雑音が当該ボーダーラインに到達しない範囲でスペクトル拡散を実行しないようにすることで、その分、画質の低下を抑制することができる。【選択図】図３
2007174050.tif 000002
【特許請求の範囲】
【請求項１】
少なくとも画像読取装置及び画像形成装置を含み、予め定められた制御クロック信号に基づいて稼働する複数の稼働装置と、
各稼働装置を選択的に稼働を指示するための動作モード選択手段と、
前記制御クロック信号を拡散することで、電波妨害雑音を抑制する電波妨害抑制手段と、
前記動作モード選択手段で選択された動作モードに基づいて、前記稼働装置毎に、前記電波妨害抑制手段による制御クロック信号の拡散を実行、非実行を制御する制御クロック信号拡散制御手段と、
を有する画像処理装置。
【請求項２】
前記画像読取装置と前記画像形成装置を併用する複写機能を実行する場合に、前記画像形成装置の制御クロック信号の拡散を前記画像読取装置の制御クロック信号の拡散よりも大きくすることを特徴とする請求項１記載の画像処理装置。
【請求項３】
前記制御クロック信号拡散制御手段が、制御クロック信号における拡散のオン・オフを切り替えることを特徴とする請求項１又は請求項２記載の画像処理装置。
【請求項４】
前記制御クロック信号拡散制御手段が、制御クロック信号の拡散幅を変更することを特徴とする請求項１乃至請求項３の何れか１項記載の画像処理装置。
【請求項５】
前記制御クロック信号拡散制御手段が、制御クロック信号の拡散周波数を変更することを特徴とする請求項１乃至請求項４の何れか１項の画像処理装置。
【請求項６】
前記制御クロック信号拡散制御手段が、前記画像読取装置及び前記画像形成装置における、それぞれの画像有効領域では前記電波障害抑制手段による拡散をオフし、画像無効領域では前記電波妨害抑制手段による拡散をオンする、ことを特徴とする請求項１乃至請求項５の何れか１項記載の画像処理装置。
【発明の詳細な説明】
【技術分野】
【０００１】
本発明は、少なくとも画像読取装置及び画像形成装置を含み、予め定められた制御クロック信号に基づいて稼働する複数の稼働装置に対して、稼働中に発生する電波妨害雑音を抑制する機能を備えた画像処理装置に関するものである。
【背景技術】
【０００２】
画像処理装置、例えば、原稿画像をCCDセンサ等によって読み取って画像データを得る画像読取装置や、画像データに基づいて所定の記録用紙に画像を形成する画像形成装置、並びに、上記画像読取装置と画像形成装置とを含みユニット化された複合機等においては、それぞれの稼働を制御するための制御系が、制御クロック信号に基づいて動作し、かつ互いに同期をとるようにしている。
【０００３】
上記画像処理装置では、前記制御クロック信号が、装置外部に漏出すると電波妨害雑音となる。
【０００４】
この雑音レベルを低減する手段として、スペクトラム拡散器を用いることが提案されている（特許文献１参照）。スペクトラム拡散とは、基準クロック信号のピーク周波数を中心として分布する周波数帯域を広げることでピーク周波数を下げることを言う。
【０００５】
この特許文献１では、このスペクトラム拡散技術を適用し、高調波のピークの周波数分布を広げてピークをさげ、基準クロック信号による高調波成分を下げて電磁妨害の低減を図っている。
【０００６】
また、特許文献２では、拡散のオン・オフを動作モードによって切り替えることが提案されている。より具体的には、特許文献２では画像読取装置において、基準クロック信号発振器で発生させた基準クロック信号を直接アナログ回路へ送出し、デジタル回路へはスペクトラム拡散器を介して拡散クロック信号を送出するようにしている。
【０００７】
さらに、特許文献２では、画像読取装置において、アナログ処理初期設定時（ＡＧＣ（オート・ゲイン・コントロール）の実行時）は基準クロック信号を使用して（スペクトラム拡散器のオフ）、周期的なノイズの影響による補正精度が落ちないようにし、かつ、ＡＧＣによる読取時以外はスペクトラム拡散クロック信号を発生させて（スペクトラム拡散器のオン）、電波障害の低減化を図ることが開示されている。
【特許文献１】特開平９−９８１５２号公報
【特許文献２】特開２００１−９４７３４公報
【発明の開示】
【発明が解決しようとする課題】
【０００８】
しかしながら、上記特許文献１では、スペクトラム拡散による画質の低下については、何ら考慮されておらず、画像読取装置や画像形成装置を搭載した画像処理装置に適用するためには、さらなる工夫が必要である。また、特許文献２では、アナログ回路には直接基準クロック信号を送出し、デジタル回路には、スペクトル拡散器を介した拡散クロック信号を送出している技術に関しても、画質の低下を考慮したものではない。
【０００９】
一方、特許文献２におけるＡＧＣの読取時のみスペクトラム拡散器をオフする技術では、ＡＧＣを高精度に実行できるという利点はあるが、実際の画像読取時では、スペクトラム拡散クロック信号を発生させ、電波障害を抑制することを主体としているため、結果として、画質低下を免れないことになる。
【００１０】
また、複合機において画像読取（イメージ入力部分）と、画像形成（イメージ出力部分）とが同時に動作する複写モード動作においては、それぞれの稼働装置の電波妨害雑音を低減しなければならない。さらに、イメージ出力部分のみが動作するプリンタモード動作においては複写モード動作時よりも高解像度を出力する場合があるのが一般的であり、電波妨害雑音がより発生し易い高周波帯域で電波妨害雑音を抑制する必要がある。
【００１１】
すなわち、従来技術全般では、画質向上或いは画質維持を優先した場合、稼働装置が有効に稼働（動作）している場合には、スペクトラム拡散を実行することができない。
【００１２】
本発明は上記事実を考慮し、稼働装置が有効に動作しているときでも、その稼働装置の動作状況を詳細に判断して、必要最小限のスペクトラム拡散を実行することで、電波妨害雑音の抑制と画質維持を両立することができる画像処理装置を得ることが目的である。
【課題を解決するための手段】
【００１３】
本発明は、少なくとも画像読取装置及び画像形成装置を含み、予め定められた制御クロック信号に基づいて稼働する複数の稼働装置と、各稼働装置を選択的に稼働を指示するための動作モード選択手段と、前記制御クロック信号を拡散することで、電波妨害雑音を抑制する電波妨害抑制手段と、前記動作モード選択手段で選択された動作モードに基づいて、前記稼働装置毎に、前記電波妨害抑制手段による制御クロック信号の拡散を実行、非実行を制御する制御クロック信号拡散制御手段と、を有している。
【００１４】
本発明によれば、動作モード選択手段で選択された動作モードに基づいて、制御クロック信号拡散制御手段では、稼働装置毎に、前記電波妨害抑制手段による制御クロック信号の拡散を実行、非実行を制御する。
【００１５】
この結果、例えば、各稼働装置毎の制御クロック信号自体は電波妨害雑音となるレベルに達しておらず、累積することで電波妨害雑音となる場合において、不必要な制御クロック信号の拡散を回避することができ、画質を維持することができる。
【００１６】
上記発明において、前記画像読取装置と前記画像形成装置を併用する複写機能を実行する場合に、前記画像形成装置の制御クロック信号の拡散を前記画像読取装置の制御クロック信号の拡散よりも大きくすることを特徴としている。
【００１７】
一般に複写機能では、画像形成装置側では最大の解像度よりも低い解像度での出力となるため、画像読取時の精度を向上することを優先し、画像形成装置側の制御クロック信号の拡散を大きくする。言い換えれば、画像読取装置側の制御クロック信号の拡散を小さくすることができる。
【００１８】
また、本発明において、前記制御クロック信号拡散制御手段が、制御クロック信号における拡散のオン・オフを切り替えることを特徴としている。
【００１９】
制御クロック信号拡散制御手段は、各稼働装置毎に制御クロック信号をオンするか、オフするかを制御することができる。
【００２０】
さらに、本発明において、前記制御クロック信号拡散制御手段が、制御クロック信号の拡散幅を変更することを特徴としている。
【００２１】
制御クロック信号の拡散の際、拡散幅を変更することで、電波妨害雑音の要因となるピーク周波数を調整することができる。
【００２２】
また、本発明において、前記制御クロック信号拡散制御手段が、制御クロック信号の拡散周波数を変更することを特徴としている。
【００２３】
拡散周波数が高ければ高いほど、電波妨害雑音の低減に寄与する。
【００２４】
さらに、本発明において、前記制御クロック信号拡散制御手段が、前記画像読取装置及び前記画像形成装置における、それぞれの画像有効領域では前記電波障害抑制手段による拡散をオフし、画像無効領域では前記電波妨害抑制手段による拡散をオンする、ことを特徴としている。
【００２５】
例えば、光ビームを主走査しながら、記録媒体を副走査して画像を形成する走査記録の場合、光ビームの主走査長は、実際に形成する画像幅（主走査方向長）よりも長い。
【００２６】
このため、１主走査の中でも、画像有効領域と画像無効領域とが存在する。そこで、画像無効領域を走査しているとき制御クロック信号の拡散をオンし、画像有効領域を走査しているとき制御クロック信号の拡散をオフすることで、画像に対して全く影響を与えず、電波妨害雑音を軽減することができる。
【発明の効果】
【００２７】
以上説明した如く本発明では、稼働装置が有効に動作しているときでも、その稼働装置の動作状況を詳細に判断して、必要最小限のスペクトラム拡散を実行することで、電波妨害雑音の抑制と画質維持を両立することができるという優れた効果を有する。
【発明を実施するための最良の形態】
【００２８】
（デジタルカラー複合機の構成）
図１には、本実施の形態に係る画像処理装置としてのタンデム型のデジタルカラー複合機１０４が示されている。
【００２９】
図１において、タンデム型のデジタルカラー複合機１０４には、本体１内に画像形成処理を実行する画像形成装置１０６が格納されている。また、本体１の上部には、原稿２をプラテンガラス５上に自動的に搬送する自動原稿搬送装置３を備え、プラテンガラス５上に載置された原稿２の画像を読み取る画像読取装置４が配設されている。
【００３０】
この画像読取装置４は、プラテンガラス５上に載置された原稿２を光源６によって照明し、原稿２からの反射光像を、フルレートミラー７及びハーフレートミラー８、９及び結像レンズ１０からなる縮小光学系を介してＣＣＤ等からなる画像読取素子１１上に走査露光して、この画像読取素子１１によって原稿２の色材反射光像を所定のドット密度（例えば、１６ドット／ｍｍ）で読み取るように構成されている。
【００３１】
上記画像読取装置４によって読み取られた原稿２の色材反射光像は、例えば、赤（Ｒ）、緑（Ｇ）、青（Ｂ）（各８ｂｉｔ）の３色の原稿反射率データとしてメインコントローラ１２に送られ、このメインコントローラ１２では、原稿２の反射率データに対して、シェーデイング補正、位置ズレ補正、明度／色空間変換、ガンマ補正、枠消し、色／移動編集等の所定の画像処理が施される。
【００３２】
（画像形成装置）
以下、画像形成装置１０６の構成について説明する。この画像形成装置１０６は、画像形成制御装置１０７によって、各部の駆動が制御されるようになっている。
【００３３】
図１に示される如く、メインコントローラ１２で所定の画像処理が施された画像データは、イエロー（Ｙ）、マゼンタ（Ｍ）、シアン（Ｃ）、ブラック（Ｋ）（各８ｂｉｔ）の４色の原稿色材階調データ（ラスタデータ）に変換され、次に述べるように、画像形成装置１０６の一部を構成する、ブラック（Ｋ）、イエロー（Ｙ）、マゼンタ（Ｍ）、シアン（Ｃ）の各色の画像形成ユニット１３Ｋ、１３Ｙ、１３Ｍ、１３Ｃの露光装置１４Ｋ、１４Ｙ、１４Ｍ、１４Ｃに送られ、これらの露光装置１４Ｋ、１４Ｙ、１４Ｍ、１４Ｃでは、所定の色の原稿色材階調データに応じてレーザー光による画像露光が感光体ドラム１５に対して行われる。
【００３４】
ところで、上記タンデム型のデジタルカラー複合機本体１の内部には、上述したように、ブラック（Ｋ）、イエロー（Ｙ）、マゼンタ（Ｍ）、シアン（Ｃ）の４つの画像形成ユニット１３Ｋ、１３Ｙ、１３Ｍ、１３Ｃが、水平方向に一定の間隔をおいて搬送方向に略直線的に配置されている。
【００３５】
上記４つの画像形成ユニット１３Ｋ、１３Ｙ、１３Ｍ、１３Ｃは、すべて同様に構成されているため、画像形成ユニット１３Ｋの構成について説明し、他の画像形成ユニット１３Ｙ、１３Ｍ、１３Ｃの構成については、符号の末尾を「Ｙ」又は「Ｍ」又は「Ｃ」に置き換えることで説明を省略する。
【００３６】
この画像形成ユニット１３Ｋは、大別して、所定の回転速度で回転する感光体ドラム１５Ｋと、この感光体ドラム１５Ｋの表面を一様に帯電する一次帯電用のスコロトロン１６Ｋと、当該感光体ドラム１５Ｋの表面に各色に対応した画像を露光して静電潜像を形成する画像露光装置としての露光装置１４Ｋと、感光体ドラム１５Ｋ上に形成された静電潜像を現像する現像器１７Ｋと、クリーニング装置１８Ｋとから構成されている。
【００３７】
上記露光装置１４Ｋは、半導体レーザー１９Ｋを原稿色材階調データに応じて変調して、この半導体レーザー１９Ｋからレーザー光ＬＢを階調データに応じて出射する。この半導体レーザー１９Ｋから出射されたレーザー光ＬＢは、反射ミラーを介して回転多面鏡２２Ｋによって偏向走査され、最終的に反射ミラー２３Ｋを介して像担持体としての感光体ドラム１５Ｋ上に走査露光される。
【００３８】
図１に示すように、上記メインコントローラ１２からは、ブラック（Ｋ）、イエロー（Ｙ）、マゼンタ（Ｍ）、シアン（Ｃ）の各色の画像形成ユニット１３Ｋ、１３Ｙ、１３Ｍ、１３Ｃの露光装置１４Ｋ、１４Ｙ、１４Ｍ、１４Ｃに各色の画像データ（ラスタデータ）が順次出力され、これらの露光装置１４Ｋ、１４Ｙ、１４Ｍ、１４Ｃから画像データに応じて出射されるレーザービームＬＢが、それぞれの感光体ドラム１５Ｋ、１５Ｙ、１５Ｍ、１５Ｃの表面に走査露光されて静電潜像が形成される。上記各感光体ドラム１５Ｋ、１５Ｙ、１５Ｍ、１５Ｃに形成された静電潜像は、現像器１７Ｋ、１７Ｙ、１７Ｍ、１７Ｃによって、それぞれブラック（Ｋ）、イエロー（Ｙ）、マゼンタ（Ｍ）、シアン（Ｃ）の各色のトナー像として、現像される。
【００３９】
上記各画像形成ユニット１３Ｋ、１３Ｙ、１３Ｍ、１３Ｃの感光体ドラム１５Ｋ、１５Ｙ、１５Ｍ、１５Ｃ上に、順次形成されたブラック（Ｋ）、イエロー（Ｙ）、マゼンタ（Ｍ）、シアン（Ｃ）の各色のトナー像は、画像形成ユニット１３Ｋ、１３Ｙ、１３Ｍ、１３Ｃの下方に配置された中間転写体としての中間転写ベルト２５上に、一次転写ロール２６Ｋ、２６Ｙ、２６Ｍ、２６Ｃによって多重に転写される。この中間転写ベルト２５は、ドライブロール２７と、スリッピングロール２８と、ステアリングロール２９と、アイドルロール３０と、バックアップロール３１と、アイドルロール３２との間に一定のテンションで掛け回されており、図示しない定速性に優れた専用の駆動モーターによって回転駆動されるドライブロール２７により、矢印方向に所定の速度で循環駆動されるようになっている。上記中間転写ベルト２５としては、例えば、可撓性を有するポリイミド等の合成樹脂フィルムを帯状に形成し、この帯状に形成された合成樹脂フィルムの両端を溶着等の手段によって接続することにより、無端ベルト状に形成したものが用いられる。
【００４０】
上記中間転写ベルト２５上のトナー像が転写される記録用紙３４は、図１に示すように、トレイユニット３９から所定のサイズの記録用紙３４（並列搬送の場合は、その並列数に相当する複数枚の記憶用紙を含む）が、給紙ローラ４２及び用紙分離搬送用のローラ対４３によって、レジストロール４７まで一旦搬送される。
【００４１】
その後、記録用紙３４は、所定のタイミングで回転駆動されるレジストロール４７によって２次転写位置へ送出される。
【００４２】
一方、上記中間転写ベルト２５上に多重に転写されたブラック（Ｋ）、イエロー（Ｙ）、マゼンタ（Ｍ）、シアン（Ｃ）の各色のトナー像は、バックアップロール３１に圧接する２次転写ロール３３によって、圧接力及び静電気力で、２次転写位置に搬送された記録用紙３４上に転写される。この各色のトナー像が転写された記録用紙３４は、搬送ベルト３５によって定着器３７へと搬送される。そして、上記各色のトナー像が転写された記録用紙３４は、定着器３７によって熱及び圧力で定着処理を受け、複合機本体１の外部に設けられた排出トレイ３８上に排出される。
【００４３】
ここで、本実施の形態では、画像読取装置４は、本体１に設けられたＵＩ（ユーザインターフェース）１０８の操作によって、「コピーモード」又は「スキャンモード」を選択した場合に起動する。なお、「コピーモード」では、画像読取装置４と共に画像形成装置１０６が起動することになる。
【００４４】
一方、待機状態のメインコントローラ１２には、前記画像読取装置４によって読み取った画像データの他、外部Ｉ／Ｆ（インターフェース）１１０を介して、ＰＣから画像データを含むジョブデータが入力されるようになっている。
【００４５】
このＰＣからの画像形成指示があると「プリンタモード」となり画像形成装置１０６のみが起動する。
【００４６】
本実施の形態のデジタルカラー複合機１０４（画像処理装置）では、「コピーモード」、「スキャンモード」、「プリンタモード」の３つのモードから処理モードが選択可能であり、それぞれのモードに応じて、画像読取装置４及び画像形成装置１０６が選択的に起動する。
【００４７】
ところで、上記画像読取装置４及び画像形成装置１０６では、その稼働制御の際に制御クロック信号に基づいて動作するようになっている。制御クロック信号は、メインコントローラ１２（図２参照）によって生成され、各部へ送出される。
【００４８】
制御クロック信号は、高周波信号であるため、外部に対しては電波妨害雑音（ノイズ）となり得る性質のものである。特に、画像読取処理並びに画像形成処理において高解像度化が図られると、制御クロック信号自体もさらに周波数が高くなり、ノイズとして抑制する必要がある。
【００４９】
そこで、従来からスペクトラム拡散方式によって、制御クロック信号のピーク周波数を中心として、所定の周波数帯域に拡散（基本的に積分値は同一）させることで、ピーク周波数の出力を下げ、電波妨害雑音を抑制することがなされている。
【００５０】
図２には、上記デジタルカラー複合機１０４の稼働装置である画像読取装置４と画像形成装置１０６を制御すると共に、スペクトラム拡散による電波妨害雑音を抑制する機能を持つ制御系の概略図が示されている。
【００５１】
制御系は、各稼働装置を一括制御するためのメインコントローラ１２と、画像読取装置４の稼働を制御する画像読取処理コントローラ１５０と、画像形成装置１０６の稼働を制御する画像形成処理コントローラ１５２と、を備えている。
【００５２】
メインコントローラ１２には、それぞれバス１５４によって接続されたＣＰＵ１５６、ＲＡＭ１５８、ＲＯＭ１６０、ＵＩ１０８、外部Ｉ／Ｆ１１０が接続されている。また、バス１５４には、画像読取装置４からの画像データを受け入れる画像データ入力ポート１６２と、画像形成装置１０６へ画像データを送り出す画像データ出力ポート１６４とが接続されている。
【００５３】
また、画像読取処理コントローラ１５０には、それぞれバス１６６によって接続されたＣＰＵ１６８、ＲＡＭ１７０、ＲＯＭ１７２、並びに前記メインコトローラ１２の画像データ入力ポート１６２へ画像データを出力するための画像データ出力ポート１７４が接続されている。
【００５４】
さらに、画像形成処理コントローラ１５２には、それぞれバス１７６によって接続されたＣＰＵ１７８、ＲＡＭ１８０、ＲＯＭ１８２、並びに前記メインコトローラ１２の画像データ出力ポート１６４から画像データを受けるための画像データ入力ポート１８４が接続されている。
【００５５】
ここで、前記メインコントローラ１２におけるバス１５４には、Ｇ  Ｉ／Ｏ１８６が接続されている。Ｇ  Ｉ／Ｏ１８６では、ＣＰＵ１５６による稼働装置の選択状態、すなわち動作モードを認識し、その結果を拡散ＩＣ１８８へ送出する。
【００５６】
この拡散ＩＣ１８８では、基準クロック発生部１９０から入力される基準クロック信号に対してスペクトラム拡散を実行する役目を有している。
【００５７】
本実施の形態のメインコトローラ１２では、拡散ＩＣ１８８は、画像データ出力ポート１６４に接続されている。すなわち、画像形成装置１０６へ送出する画像データの出力制御の基準となる制御クロック信号を、基準クロック信号（拡散オフ）又は拡散クロック信号（拡散オン）の何れかに切り替えることができるようになっている。
【００５８】
また、この切り替えは、Ｇ  Ｉ／Ｏ１８６による動作モードの判断に基づき実行される。
【００５９】
ところで、このスペクトラム拡散を実行すると、画像読取処理並びに画像形成処理の双方において、画質の低下を招くことになる。
【００６０】
そこで、本実施の形態では、画像読取装置４及び画像形成装置１０６を稼働するための制御クロック信号に対してそれぞれ別々スペクトラム拡散の実行・非実行の選択を可能とし、稼働状態を把握し（処理モードの認識）、この把握した処理モードに基づいて、稼働装置毎にスペクトラム拡散を実行するか否かを決定するようにした。
【００６１】
より具体的に、本実施の形態では、以下の態様を実施している。
【００６２】
（１）  画像読取装置４と画像形成装置１０６とが同時に稼働する「コピーモード」のとき、メインコントローラ１２、画像読取装置４、画像形成装置１０６の全ての箇所の制御クロック信号に基づいて電波妨害雑音が発生する。
【００６３】
この「コピーモード」の場合、画像形成装置１０６における画像出力は比較的低解像度（最高解像度ではない）で実行されるため、この画像形成装置１０６の制御クロックにスペクトラム拡散をかけた場合に画像の揺らぎがあってもその影響が小さく、画質の低下を招くほどではない。
【００６４】
そこで、「コピーモード」の場合、画像形成装置１０６を対象とする制御クロック信号にのみスペクトラム拡散を実行する（拡散オン）。
【００６５】
（２）  画像形成装置１０６のみが稼働する「プリンタモード」の場合、画像読取装置４が稼働しないため、電波妨害雑音の発生源はメインコントローラ１２と画像形成装置１０６となる。それぞれの制御クロック信号に対してスペクトラム拡散をかけなくても、電波妨害雑音自体が低く、スペクトラム拡散を非実行する（拡散オフ）。
【００６６】
すなわち、「プリンタモード」の画像出力は、比較的高解像度（指定された解像度が最高解像度である場合）を要求されるため、画像形成装置１０６への制御クロック信号にスペクトラム拡散をかけた場合、画像の揺らぎがあるとその影響が大きく、画質の低下を招く。そこで、画像形成装置１０６に対する制御クロック信号のスペクトラム拡散の非実行は、画質の低下を抑制することができる。
【００６７】
以下に本実施の形態の作用を図３のフローチャートに従い説明する。
【００６８】
ステップ２００では、デジタルカラー複合機１０４に対してスタート指示があったか否かが判断される。なお、このスタート指示とは、デジタルカラー複合機１０４のＵＩ１０８に設けられているスキャン又はコピー操作ボタンはもちろん、ＰＣからの遠隔指示も含まれる。
【００６９】
このステップ２００で肯定判定されると、ステップ２０２へ移行して、指示された動作モードを判別する。
【００７０】
このステップ２０２で「コピーモード」であると判別されると、ステップ２０２からステップ２０４へ移行してコピーモード用スペクトル拡散制御が実行される。
【００７１】
このステップ２０４のスペクトル拡散制御では、表１に示される如く、メインコントローラ（表中では「ＭＣ」と表記）１２の拡散をオフ、画像読取装置（表中では「ＩＩＴ」と表記）４の拡散をオフ、画像形成装置（表中では「ＩＯＴ」と表記）１０６の拡散をオンとする。
【００７２】
すなわち、「コピーモード」の場合、画像形成装置１０６における画像出力は比較的低解像度（最高解像度ではない）で実行されるため、この画像形成装置１０６の制御クロックにスペクトラム拡散をかけた場合に画像の揺らぎがあってもその影響が小さく、画質の低下を招くほどではない。このため、画像形成装置１０６を対象とする制御クロック信号にのみスペクトラム拡散を実行する（拡散オン）。
【００７３】
【表１】
2007174050.tif 000003
【００７４】
なお、表１では、メインコントローラ（ＭＣ）と画像読取装置（ＩＩＴ）をそれぞれ「オフ」としているが、これらについては、「オン」であってもよい。
【００７５】
また、ステップ２０２で「スキャンモード」であると判別されると、ステップ２０２からステップ２０６へ移行してスキャンモード用スペクトル拡散制御が実行される。
【００７６】
このステップ２０６のスペクトル拡散制御では、表２に示される如く、メインコントローラ（表中では「ＭＣ」と表記）１２の拡散をオフ、画像読取装置（表中では「ＩＩＴ」と表記）４の拡散をオフとする。なお、画像形成装置（表中では「ＩＯＴ」と表記）１０６は非稼働であるため実質的に拡散はオフとなる。
【００７７】
すなわち、「スキャンモード」の場合、画像形成装置１０６が非稼働であるため、トータルの電波妨害雑音の大きさ（量）が少ないため、拡散制御を実行しなくてもよい（全て拡散オフ）。
【００７８】
【表２】
2007174050.tif 000004
【００７９】
なお、表２では、メインコントローラ（ＭＣ）と画像読取装置（ＩＩＴ）をそれぞれ「オフ」としているが、これらについては、「オン」であってもよい。
【００８０】
次に、ステップ２０２で「プリンタモード」であると判別されると、ステップ２０２からステップ２０８へ移行してプリンタモード用スペクトル拡散制御が実行される。
【００８１】
このステップ２０８のスペクトル拡散制御では、表３に示される如く、指定される解像度によって異なる。
【００８２】
（１）解像度６００ｄｐｉ以下の場合
メインコントローラ（表中では「ＭＣ」と表記）１２の拡散をオフ、画像形成装置（表中では「ＩＯＴ」と表記）１０６の拡散をオンとする。なお、画像読取装置（表中では「ＩＩＴ」と表記）４は非稼働である（実質、拡散オフ）。
【００８３】
（２）解像度１２００ｄｐｉ以上の場合
メインコントローラ（表中では「ＭＣ」と表記）１２の拡散をオフ、画像形成装置（表中では「ＩＯＴ」と表記）１０６の拡散をオフとする。なお、画像読取装置（表中では「ＩＩＴ」と表記）４は非稼働である（実質、拡散オフ）。
【００８４】
【表３】
2007174050.tif 000005
【００８５】
なお、表３では、メインコントローラ（ＭＣ）を「オフ」としているが、「オン」であってもよい。
【００８６】
前記ステップ２０４においてコピーモード用スペクトル拡散制御が終了すると、ステップ２０４からステップ２１０へ移行してコピー動作制御が実行され、このルーチンは終了する。
【００８７】
また、前記ステップ２０６においてスキャンモード用スペクトル拡散制御が終了すると、ステップ２０６からステップ２１２へ移行してスキャン動作制御が実行され、このルーチンは終了する。
【００８８】
さらに、前記ステップ２０８においてプリンタモード用スペクトル拡散制御が終了すると、ステップ２０８からステップ２１４へ移行してプリンタ動作制御が実行され、このルーチンは終了する。
【００８９】
以上説明したように本実施の形態では、画像読取装置４及び画像形成装置１０６の稼働状態によって、電波妨害雑音の要因となる制御クロック信号を対象として実行するスペクトル拡散の実行・非実行を切り替えるようにした。すなわち、電波妨害雑音において許容できるボーダーラインに着目し、デジタルカラー複合機１０４の全体としての電波妨害雑音が当該ボーダーラインに到達しない範囲でスペクトル拡散を実行しないようにすることで、その分、画質の低下を抑制することができる。
【００９０】
なお、本実施の形態では、基本的にメインコントローラ１２と画像読取装置４に対して、スペクトル拡散をオフ状態とし、画像形成装置１０６を対象としてスペクトル拡散のオン（実行）・オフ（非実行）を制御するようにしたが、全ての稼働装置に対してスペクトル拡散のオン・オフを制御するようにしてもよい。この場合、例えば、コピーモードやスキャンモードにおいて、読取解像度を指定可能であれば、そのしきい値を設定し、しきい値以下は拡散オン、それ以上は拡散オフとしてもよい。
【００９１】
また、画像データの種類によってスペクトル拡散のオン・オフを制御してもよい。例えば、文字等の情報として認識可能であればすむものは拡散オン、写真等の画像として重要なものは拡散オフ、といったような制御が可能である。
【００９２】
さらに、本実施の形態では、スペクトル拡散に対して、オン（実行）又はオフ（非実行）の２種類としたが、拡散幅や拡散周波数を変更するようにしてもよい。
【００９３】
また、本実施の形態では、稼働装置単位での拡散のオン・オフ、或いは拡散幅、拡散周波数を含む制御幅の制御を行うようにしたが、例えば、画像形成装置１０６における主走査において、主走査幅を画像領域と非画像領域とに分けることができるため、非画像領域では拡散オン（或いは制御幅大）、画像領域では拡散オフ（或いは、制御幅小）とするといった稼働装置内での細かい制御を実行するようにしてもよい。画像読取装置４であれば、画像読取素子１１（図１参照）の読取幅と実際の原稿幅との差によって、読取領域と非読取領域とに分類することができるため、上記と同様に１回のラインスキャンの中で拡散のオン・オフを切り替えるようにしてもよい。
【図面の簡単な説明】
【００９４】
【図１】本実施の形態に係る画像形成装置としてデジタルカラー複合機の概略構成図である。
【図２】デジタルカラー複合機の稼働装置である画像読取装置と画像形成装置を制御すると共に、スペクトラム拡散による電波妨害雑音を抑制する機能を持つ制御系の概略図である。
【図３】本実施の形態に係るデジタルカラー複合機動作制御ルーチンを示すフローチャートである。
【符号の説明】
【００９５】
３    自動原稿搬送装置
４    画像読取装置
１２    メインコントローラ（拡散制御手段）
１０４    デジタルカラー複合機
１０６    画像形成装置
１５０    画像読取処理コントローラ
１５２    画像形成処理コントローラ
１５４    バス
１５６    ＣＰＵ（拡散制御手段）
１５８    ＲＡＭ
１６０    ＲＯＭ
１０８    ＵＩ（動作モード選択手段）
１１０    外部Ｉ／Ｆ（動作モード選択手段）
１６２    画像データ入力ポート
１６４    画像データ出力ポート
１７４    画像データ出力ポート
１８４    画像データ入力ポート
１８６    Ｇ  Ｉ／Ｏ（拡散制御手段）
１８８    拡散ＩＣ（電波障害抑制手段）
１９０    基準クロック発生部
【図１】
2007174050.tif 000006
【図２】
2007174050.tif 000007
【図３】
2007174050.tif 000008